(57)【要約】      （修正有）【課題】同種飲料又は複数種飲料を適宜選択的に収納し飲用することができるよう複数の区分けされた飲料収納室を備えた安価な飲料用容器を提供する。【解決手段】容器本体２とキャップからなる飲料収納容器において、容器本体２の内部を隔壁２４によって複数の独立した飲料収納室２１，２２に区分けし、キャップ上面部に前記複数の飲料収納室にそれぞれ連通するストロー挿入口３１，３２を設ける。また、キャップ底面に前記隔壁の上縁端と対向する位置において水平方向下向きに突出した溝部３７を設ける。さらに、キャップ形状が断面凸状になるよう段差部３５を介して径の異なる周壁を上下に配設し、下方周壁の内側を容器本体の当接する外側径よりやや小径となるよう内方向に湾曲形成する。【選択図】図３
0003175784.tif 000002
【実用新案登録請求の範囲】
【請求項１】
内部が隔壁によって複数の独立した飲料収納室に区分けされた容器本体と、前記複数の飲料収納室にそれぞれ連通するストロー挿入口及び前記隔壁の上縁端と対向する底面位置にあって水平方向下向きに突出した溝部が設けられたキャップとからなり、同種飲料または複数種飲料を適宜選択的に収納し飲用することができることを特徴とする飲料用容器。
【請求項２】
容器本体の開口部を閉塞するキャップ形状を、断面凸状になるよう上面部及び段差部を介して径の異なる上方周壁部と下方径周壁部とによって形成し、下方周壁部をその最小内径が当接する容器本体の外径よりやや小径となるよう内方向に突出するよう湾曲形成したことを特徴とする前記請求項１に記載の飲料用容器。
【考案の詳細な説明】
【技術分野】
【０００１】
本考案は、コーヒーやココア、紅茶やウーロン茶、清涼飲料や果実飲料等の各種飲料を収納する飲料用容器に関するもので、特に複数種類の飲料を選択的に収納し飲用し得るようにした飲料用容器に関する。
【背景技術】
【０００２】
飲料用容器については従来より種々提案されているが、これらの容器は単一種類の飲料を収納するようにしたものが通例で、複数種類の飲料を収納する容器も提案されているが、これらは使い勝手が悪かったり、構造が複雑なため製作コストが高くなったりして実用的ではなかった。
【０００３】
例えば、コップ本体の容器部分の中央付近に仕切り紙を設け、容器部分を上側容器部分と下側容器部分とに仕切ることによって二種類の飲食物を収納できるようにした折り畳み式紙コップが提案されている（特許文献１）。しかしながら、この考案にあっては、ストロー用の小孔が上側容器部分か下側容器部分かの一方にしか設けられていないため、複数種類の飲料を同時に収納し飲用することができない。仮に、上下容器部分にそれぞれストロー用の小孔を設けたとしても、ストローの挿入位置が上下に別れてしまい使い勝手の悪いものとなってしまう。
【０００４】
また、容器本体の内側周面に二本の縦溝を設けるとともに、この縦溝と連通する横溝を底面部に設けることによってコ字形の間仕切り用溝を形成し、この間仕切り用溝に仕切板を差し込むことによって容器本体内を複数の収納部に分割する構成となっている包装容器が提案されている（特許文献２）。しかしながら、この発明にあっては、容器本体と仕切板とを別々に形成して、これらを組み合わせる構成となっているため、製作が面倒でコスト高になり、また、間仕切り用の溝と仕切板との密着度をかなり強固なものとしないと、使用条件によっては収納飲料が混合してしまう等の問題も想定される。
【先行技術文献】
【特許文献】
【０００５】
【特許文献１】登録実用新案第３０２７５６５号公報
【特許文献２】特開２０００−８５７８１号公報
【考案の概要】
【考案が解決しようとする課題】
【０００６】
本考案は、上記従来品の問題点に鑑みなされたもので、異種飲料を別々に収納することができ、収納した飲料を選択的に飲用することが可能な飲料用容器を安価に提供することを課題とするものである。
【課題を解決するための手段】
【０００７】
上記課題を解決するため、本考案に係る飲料用容器にあっては、容器本体の内部を隔壁によって独立した複数の飲料収納室に区分けし、また、容器本体の開口部を閉塞するキャップには、その上面部に前記複数の飲料収納室にそれぞれ連通するストロー挿入口を設けるとともに、前記隔壁の上縁端と対向する位置に水平方向下向きの溝部を配設する。
【０００８】
また、容器本体の開口部を閉塞するキャップ形状を、断面凸状になるよう上面部及び段差部を介して径の異なる上下二段の周壁部によって形成するとともに、下方周壁部の最小内径が当接する容器本体の外径よりやや小径となるよう内方向に突出するよう湾曲形成する。
【考案の効果】
【０００９】
本考案によれば、容器本体の内部が複数の飲料収納室に区分けされ、キャップ上面部にはそれぞれの飲料収納室に連通するストロー挿入口が穿設されているので、各収納室にはそれぞれ同種または複数種の飲料を収納することができ、尚かつ、収納された同種または複数種の飲料を選択的に飲用することができる。
【００１０】
また、前記隔壁の上縁端と対向するキャップ底面位置には水平方向下向きの溝部が配設されているので、容器本体開口部をキャップによって閉塞した際には、隔壁上縁がこの溝部に差し込まれ、溝部内側面と隔壁上縁の内外側面とが係合し、飲料収納室がそれぞれ密閉された収納室となって収納飲料の混合を防止することができる。
【００１１】
さらに、キャップ下方周壁部の最小内径が当接する容器本体の外径よりやや小径となるよう内方向に突出するよう湾曲形成されているため、キャップを容器本体開口部に強制被冠した際には、当該下方周壁の湾曲突出した内側周面部と容器本体の外側周面部とが相互に圧接する状態となり、この圧接作用によって容器本体は密に閉塞される。
【図面の簡単な説明】
【００１２】
【図１】本考案に係る第１実施形態での飲料用容器の略正面斜視図。
【図２】同飲料用容器の略側面斜視図。
【図３】同飲料用容器の縦断面図（ａ−ｂ線断面図）。
【図４】本考案に係る第２実施形態での飲料用容器の略正面斜視図。
【図５】同飲料用容器の略側面斜視図。
【図６】同飲料用容器の縦断面図（ａ−ｂ線断面図）。
【考案を実施するための形態】
【００１３】
次に、本考案の実施の形態を添付図面に基づいて説明する。
符号１は、紙素材又はプラスチックシート素材等からなる容器本体２とキャップ３とからなる飲料用容器で、容器本体２の内部は隔壁２４によって独立した複数の飲料収納室、即ち第一飲料収納室２１と第二飲料収納室２２とに区分けされている。
【００１４】
キャップ３は、上面部３３と、段差部３５と、段差部３５を介して上下に径の異なる上方周壁部３４と下方周壁部３６とからなり、全体が断面凸状になるよう形成されている。そして、下方周壁部３６の内径が、当接する容器本体２の外径より若干小径となるよう内方向に突出するよう湾曲形成されている。これによって、キャップ３を容器本体２の開口部２３に強制被冠した際には、当該下方周壁３３の湾曲突出した内側周面部が容器本体２の外側周面部に圧接し、この圧接作用と段差部３５の底面と容器本体２の開口上縁との当接作用によって、容器本体２はキャップ３によって密閉状態にて閉塞される。
【００１５】
また、キャップ３の上面部３３には、それぞれ容器本体２の第一飲料収納室２１と第二飲料収納室２２に連通するストロー挿入口３１、３２が設けられている。これによって、第一飲料収納室２１と第二飲料収納室２２に収納された異種又は同種飲料を選択的に飲用できる。
【００１６】
さらに、キャップ３の上面部３３の下部には、容器本体２に設けられた隔壁２４の上縁端に対向する位置に溝部３７が水平方向下向きに突出した状態で配設されている。これにより、溝部３７内に隔壁２４の上縁部を差し込むと、溝部３７の開口内側面と隔壁２４の内外側面とが係合密着し、第一飲料収納室２１と第二飲料収納室２２とがそれぞれ独立密閉された収納室となって収納飲料の混合を有効に防止する。
【００１７】
次に、飲料収納室の区分け形態について説明する。
尚、本考案の概要説明については、考案を実施するための形態として第１の実施形態（図１乃至図３）を基本に説明しているが、第２の実施形態（図４乃至図６）においても原理的に違いがないので、同様箇所については同一の符号をもって説明する。
【００１８】
第１の実施形態（図１乃至図３）にあっては、第一飲料収納室２１と第二飲料収納室２２とは、開口部２３の内側縁より断面略Ｌ字状の隔壁２４によって仕切られ区分けされている。本実施形態にあっては、第一飲料収納室２１と第二飲料収納室２２との容量がほぼ等分となるよう、隔壁２４の底部２４ａは容器本体２の底面部よりやや上方位置に、側部２４ｂは容器本体２の中央より偏移させた位置に配置されている。
【００１９】
第２の実施形態（図４乃至図６）にあっては、第一飲料収納室２１と第二飲料収納室２２とは、容器本体２の開口部２３の内側縁より容器本体２の底面部にかけて設けた平板状の隔壁２４によって仕切られ区分けされている。本実施形態にあっては、第一飲料収納室２１と第二飲料収納室２２との容量がほぼ等分となるよう、隔壁２４は容器本体２の中央位置に配置されている。
【００２０】
なお、前記した第１及び第２の実施形態のいずれもが、容器本体２を二分割し、各飲料収納室の容量がほぼ等分となるよう設定されているが、本考案は特にこれに限定されるものではなく、必要に応じて飲料収納室を適宜増やし、各飲料収納室の容量についても適宜調整することが好ましい。また、第１の実施形態又は第２の実施形態のいずれの形態を選択するかは、収納飲料の特性、飲料収納室の数、さらには各飲料収納室の設定容量等を考慮して選択することが好ましい。
【００２１】
以上のとおり、本考案に係る飲料用容器は、容器本体の内部が独立した複数の飲料収納室に区分けされ、キャップにはそれぞれの飲料収納室に連通するストロー挿入口を設けたことにより、同種飲料又は異種飲料を適宜選択的に収納し飲用することができる。
また、本考案にあっては、容器本体及びキャップはそれぞれ一体成型可能な構造となっているので製作が容易で、尚かつ、紙又はプラスチックシート等安価な素材を使用しているので低廉な価格で提供することができる。
【符号の説明】
【００２２】
１ 飲料用容器
２ 容器本体
２１  第一飲料収納室
２２  第二飲料収納室
２３  開口部
２４  隔壁
２４ａ  隔壁底部
２４ｂ  隔壁側部
３  キャップ
３１  ストロー挿入口
３２  ストロー挿入口
３３  キャップ上面部
３４  キャップ上方周壁部
３５  キャップ段差部
３６  キャップ下方周壁部
３７  溝部
【図１】
0003175784.tif 000003
【図２】
0003175784.tif 000004
【図３】
0003175784.tif 000005
【図４】
0003175784.tif 000006
【図５】
0003175784.tif 000007
【図６】
0003175784.tif 000008